(57)【特許請求の範囲】
【請求項１】
監視対象であるため池または河川の水位を示す水位情報を取得する水位情報取得部と、
前記監視対象の水質を示す水質情報を取得する水質情報取得部と、
前記監視対象または前記監視対象に対応する地域の雨量に関する情報を含む気象情報を取得する気象情報取得部と、
前記水位情報取得部で取得された前記水位情報、前記水質情報取得部で取得された前記水質情報、および前記気象情報取得部で取得された前記気象情報に基づいて、前記水位情報取得部によって前記水位情報を取得する周期である取得周期を変更する処理部と、を備える
ことを特徴とする水位監視システム。
【請求項２】
前記処理部は、
前記水位情報、前記水質情報、および前記気象情報に基づいて、前記監視対象の決壊の兆候を検出する決壊兆候検出部と、
前記決壊兆候検出部の検出結果に基づいて、前記取得周期を変更する取得周期変更部と、を備える
ことを特徴とする請求項１に記載の水位監視システム。
【請求項３】
前記決壊兆候検出部は、
前記水位情報、前記水質情報、および前記気象情報に基づいて、前記監視対象の予測水位を算出する予測水位算出部と、
前記予測水位算出部によって算出された前記予測水位に基づいて、前記監視対象に越流が発生するか否かを予測する越流予測部と、
前記水質情報に基づいて、前記監視対象にすべりが発生するか否かを予測するすべり予測部と、を備え、
前記取得周期変更部は、
前記越流予測部の予測結果および前記すべり予測部の予測結果に基づいて、前記取得周期を変更する
ことを特徴とする請求項２に記載の水位監視システム。
【請求項４】
前記水位情報取得部は、
複数の測位衛星から送信される複数の測位信号を受信する測位信号受信部と、
前記測位信号受信部で受信された複数の測位信号に基づいて、前記監視対象の水位を算出する水位算出部と、を備え、前記監視対象に浮かべられるブイに設けられる
ことを特徴とする請求項１から３のいずれか１つに記載の水位監視システム。
【請求項５】
準天頂衛星または地上装置から送信される誤差補正信号を受信する誤差補正信号受信部を備え、
前記水位算出部は、
前記測位信号受信部で受信された前記複数の測位信号と前記誤差補正信号受信部で受信された前記誤差補正信号とに基づいて、前記監視対象の水位を算出する
ことを特徴とする請求項４に記載の水位監視システム。
【請求項６】
前記水質情報取得部は、
前記監視対象に浮かべられるブイに設けられる
ことを特徴とする請求項１から５のいずれか１つに記載の水位監視システム。
【請求項７】
前記監視対象は、
ため池であり、
前記水質情報取得部は、
前記ため池の洪水吐に設けられる
ことを特徴とする請求項１から５のいずれか１つに記載の水位監視システム。
【請求項８】
前記気象情報取得部は、
各地域の雨量に関する情報を提供する気象情報提供装置から前記気象情報を取得する
ことを特徴とする請求項１から７のいずれか１つに記載の水位監視システム。
【請求項９】
前記気象情報取得部は、
各地域の雨量に関する情報を提供する気象情報提供装置によって提供される前記監視対象に対応する地域の予測雨量の情報と、前記監視対象または前記監視対象の周辺に配置された雨量計によって測定された実績雨量の情報とを前記気象情報として取得する
ことを特徴とする請求項１から７のいずれか１つに記載の水位監視システム。
【請求項１０】
前記監視対象は、
ため池であり、
前記処理部は、
前記水位情報、前記水質情報、および前記気象情報に加え、前記監視対象の上流にあるため池である上流ため池の水位を示す情報、前記上流ため池の水質を示す情報、および前記上流ため池または前記上流ため池に対応する地域の雨量に関する情報に基づいて、前記取得周期を変更する
ことを特徴とする請求項１から９のいずれか１つに記載の水位監視システム。
【請求項１１】
監視対象であるため池または河川の水位を監視する水位監視方法であって、
前記監視対象の水位を示す水位情報を取得する第１のステップと、
前記監視対象の水質を示す水質情報を取得する第２のステップと、
前記監視対象または前記監視対象に対応する地域の雨量に関する情報を含む気象情報を取得する第３のステップと、
前記第１のステップで取得された前記水位情報、前記第２のステップで取得された前記水質情報、および前記第３のステップで取得された前記気象情報に基づいて、前記第１のステップによって前記水位情報を取得する周期である取得周期を変更する第４のステップと、を含む
ことを特徴とする水位監視方法。
【発明の詳細な説明】
【技術分野】
【０００１】
本開示は、ため池または河川の水位を監視する水位監視システムおよび水位監視方法に関する。
【背景技術】
【０００２】
従来、下水道または河川を監視対象とし、かかる監視対象の水位を監視する水位監視システムが知られている。例えば、特許文献１には、実績雨量と予測雨量とから監視対象の水位のピーク値を予測し、予測した水位のピーク値に応じた頻度で、水位センサによる監視対象の水位の取得を行うシステムが提案されている。
【先行技術文献】
【特許文献】
【０００３】
【特許文献１】国際公開第２０１９／１０６７２６号
【発明の概要】
【発明が解決しようとする課題】
【０００４】
しかしながら、上記特許文献１に記載の技術は、越流の可能性が大きいほど水位の取得頻度を高めることができるが、例えば、河川などに生じるすべりについては、何ら検討されていない。河川またはため池などにおいては、例えば、すべりが発生する可能性が高いような場合においても水位の取得頻度を高めたい場合があり、上記特許文献１に記載の技術では、水位の監視を適切に行うことができない可能性がある。【０００５】
本開示は、上記に鑑みてなされたものであって、ため池または河川の水位の監視を適切に行うことができる水位監視システムを得ることを目的とする。
【課題を解決するための手段】
【０００６】
上述した課題を解決し、目的を達成するために、本開示の水位監視システムは、水位情報取得部と、水質情報取得部と、気象情報取得部と、処理部と、を備える。水位情報取得部は、監視対象であるため池または河川の水位を示す水位情報を取得する。水質情報取得部は、監視対象の水質を示す水質情報を取得する。気象情報取得部は、監視対象または監視対象に対応する地域の雨量に関する情報を含む気象情報を取得する。処理部は、水位情報取得部で取得された水位情報、水質情報取得部で取得された水質情報、および気象情報取得部で取得された気象情報に基づいて、水位情報取得部によって水位情報を取得する周期である取得周期を変更する。
【発明の効果】
【０００７】
本開示によれば、ため池または河川の水位の監視を適切に行うことができる、という効果を奏する。
【図面の簡単な説明】
【０００８】
【図１】実施の形態１にかかる水位監視システムの構成の一例を示す図
【図２】実施の形態１にかかるブイの処理部による処理の一例を示すフローチャート
【図３】実施の形態１にかかるサーバの処理部による処理の一例を示すフローチャート
【図４】実施の形態１にかかるサーバの処理部による決壊兆候検出処理の一例を示すフローチャート
【図５】実施の形態１にかかるサーバの処理部のハードウェア構成の一例を示す図
【図６】実施の形態２にかかる水位監視システムの構成の一例を示す図
【図７】実施の形態３にかかる水位監視システムの構成の一例を示す図
【図８】実施の形態４にかかる水位監視システムの構成の一例を示す図
【発明を実施するための形態】
【０００９】
以下に、実施の形態にかかる水位監視システムおよび水位監視方法を図面に基づいて詳細に説明する。
【００１０】
実施の形態１．
図１は、実施の形態１にかかる水位監視システムの構成の一例を示す図である。図１に示すように、実施の形態１にかかる水位監視システム１００は、監視対象に浮かぶブイ１と、ブイ１にネットワーク５を介して接続されるサーバ２と、サーバ２とネットワーク５を介して接続される端末装置３と、サーバ２とネットワーク５を介して接続される気象情報提供装置４とを備える。以下においては、水位監視システム１００の監視対象がため池であるものとして説明するが、水位監視システム１００の監視対象は、ため池に限定されず、河川であってもよい。
【００１１】
ネットワーク５は、例えば、ＷＡＮ（Wide  Area  Network）などであり、広域データ通信網および携帯電話通信網などを含む。気象情報提供装置４は、気象情報サービスを提供するための装置であり、各地域の雨量に関する情報を提供する。かかる気象情報提供装置４は、監視対象のため池またはため池に対応する地域の雨量に関する情報である気象情報をネットワーク５経由でサーバ２へ提供する。
【００１２】
気象情報には、例えば、監視対象のため池またはため池に対応する地域における実績雨量の情報と予測雨量の情報とが含まれる。監視対象のため池に対応する地域は、監視対象のため池を含む領域であるが、監視対象のため池を含む領域の気象情報がない場合、監視対象のため池の周辺の地域であってもよい。
【００１３】
まず、ブイ１の構成について説明する。ブイ１は、通信部１０と、水位情報取得部１１と、水質情報取得部１２と、取得周期情報設定部１３とを備える。通信部１０、水位情報取得部１１、水質情報取得部１２、および取得周期情報設定部１３は、ブイ１における不図示の筐体内に収納される。
【００１４】
通信部１０は、例えば、ネットワーク５に含まれる無線基地局と無線通信を行う無線通信部である。通信部１０は、ネットワーク５を介してサーバ２との間で情報の送受信を行う。水位情報取得部１１は、測位信号受信部１４と、誤差補正信号受信部１５と、水位算出部１６とを備え、ため池の水位を示す水位情報を取得する。
【００１５】
測位信号受信部１４は、複数の測位衛星から送信される複数の測位信号を受信する測位アンテナを有し、かかる測位アンテナで受信した複数の測位信号を水位算出部１６に出力する。各測位衛星は、ＧＰＳ（Global  Positioning  System）またはガリレオなどのＧＮＳＳ（Global  Navigation  Satellite  System）の衛星である。なお、測位信号受信部１４は、複数の測位衛星から送信される複数の測位信号に加えて準天頂衛星から送信される測位信号を受信することもできる。準天頂衛星は、ＱＺＳＳ（Quasi-Zenith  Satellite  System）の衛星である。
【００１６】
誤差補正信号受信部１５は、電離層などを通過する過程で測位信号に混入する誤差を補正するために、準天頂衛星または地上装置から無線により送信される誤差補正信号を受信する受信アンテナを有する。かかる誤差補正信号は、例えば、ＱＺＳＳ補強信号またはＬ６信号とも呼ばれ、センチメータ級の誤差補正を行うための情報である誤差補正情報を含む。誤差補正信号受信部１５は、受信した誤差補正信号に含まれる誤差補正情報を水位算出部１６へ出力する。
【００１７】
水位算出部１６は、測位信号受信部１４で受信された複数の測位信号と、誤差補正信号受信部１５で受信された誤差補正信号に含まれる誤差補正情報とに基づいて、アンテナ取付位置を算出する。アンテナ取付位置は、測位信号受信部１４に含まれる測位アンテナの取付位置である。
【００１８】
そして、水位算出部１６は、アンテナ取付位置と水面位置との高度差をアンテナ取付位置から差し引いた値をため池の水位として算出する。なお、アンテナ取付位置が水面位置と同じになるようにブイ１が構成される場合、水位算出部１６は、アンテナ取付位置をため池の水位として算出する。水位情報取得部１１は、誤差補正信号に含まれる誤差補正情報を用いてため池の水位を算出することから、誤差の少ない高精度の水位情報を取得することができる。水位算出部１６は、算出したため池の水位を示す水位情報をサーバ２へ通信部１０に送信させる。
【００１９】
このように、水位情報取得部１１は、複数の測位信号および誤差補正信号に基づいて、ため池の水位を示す水位情報を取得することができる。かかる水位情報取得部１１は、取得周期情報設定部１３によって設定される取得周期情報に基づく周期で水位情報を取得する。
【００２０】
水質情報取得部１２は、濁度計１７を備える。水質情報取得部１２は、濁度計１７によってため池の水の濁度を測定し、ため池の水の濁度を示す情報を水質情報としてサーバ２へ通信部１０に送信させる。
【００２１】
水質情報取得部１２は、ため池の水の濁度に加え、例えば、浮遊物質量または溶存酸素量などを測定することもできる。この場合、水質情報取得部１２は、ため池の水の濁度を示す情報に加え、例えば、土石流の混入を示す情報、浮遊物質量を示す情報、または溶存酸素量を示す情報などを水質情報としてサーバ２へ通信部１０に送信させることもできる。
【００２２】
このように、水質情報取得部１２は、ため池の水質を示す水質情報を取得することができる。かかる水質情報取得部１２は、水位情報取得部１１と同様に、取得周期情報設定部１３によって設定される取得周期情報に基づく周期で、サーバ２へ送信する水質情報を取得する。
【００２３】
取得周期情報設定部１３は、サーバ２から送信される取得周期変更指令が通信部１０で受信された場合、通信部１０で受信された取得周期変更指令に基づいて取得周期情報を変更する。取得周期情報設定部１３は、取得周期情報を変更する毎に、変更した取得周期情報を水位情報取得部１１および水質情報取得部１２に設定する。かかる取得周期情報は、情報の取得周期を示す情報である。
【００２４】
次に、サーバ２の構成について説明する。サーバ２は、通信部２０と、気象情報取得部２１と、処理部２２とを備える。かかるサーバ２は、例えば、不図示のデータセンタ内に構築されたクラウドシステムを構成する１以上のサーバおよび１以上のストレージで構成されるクラウドサーバである。
【００２５】
通信部２０は、有線または無線でネットワーク５に接続されており、ブイ１、端末装置３、および気象情報提供装置４の各々と情報の送受信を行う。気象情報取得部２１は、気象情報提供装置４からネットワーク５経由で送信され通信部２０で受信される気象情報を取得する。かかる気象情報取得部２１で取得される気象情報は、監視対象のため池に対応する地域の雨量に関する情報であり、監視対象のため池に対応する地域における実績雨量および予測雨量の各々の情報が含まれる。
【００２６】
処理部２２は、ブイ１の水位情報取得部１１からサーバ２へ送信される水位情報と、ブイ１の水質情報取得部１２からサーバ２へ送信される水質情報とを通信部２０から取得する。また、処理部２２は、気象情報提供装置４からサーバ２へ送信される気象情報を気象情報取得部２１から取得する。処理部２２は、取得した水位情報、水質情報、および気象情報に基づいて、ため池の決壊の兆候を検出したり、ブイ１からの水位情報および水質情報の取得周期を変更したり、各種の情報を端末装置３へ通信部２０に送信させたりする。
【００２７】
処理部２２は、水位情報、水質情報、および気象情報に基づいて、ため池の決壊の兆候を検出する決壊兆候検出部２３と、ブイ１からの水位情報および水質情報の取得周期を変更する取得周期変更部２４と、各種の情報を出力する情報出力部２５とを備える。
【００２８】
決壊兆候検出部２３は、ため池が決壊する兆候を検出する。ため池に越流が発生すると、かかる越流によってため池の決壊が発生する可能性があるため、決壊兆候検出部２３は、越流が発生すると予測される場合に、ため池に決壊の兆候があると判定する。また、決壊兆候検出部２３は、越流の兆候を検出することもできる。例えば、決壊兆候検出部２３は、ため池の水位が急激に上昇して危険水位または警告水位に達すると予測される場合に、越流の兆候があると判定することもできる。越流の兆候もため池の決壊の兆候の一例である。
【００２９】
また、ため池にすべりが発生すると、かかるすべりによってため池の決壊が発生する可能性があるため、決壊兆候検出部２３は、すべりが発生すると予測される場合に、ため池に決壊の兆候があると判定する。また、決壊兆候検出部２３は、すべりの兆候を検出することもできる。例えば、決壊兆候検出部２３は、ため池の水の濁度が急激に上昇した場合に、すべりの兆候があると判定することもできる。すべりの兆候もため池の決壊の兆候の一例である。
【００３０】
決壊兆候検出部２３は、ため池の水位を予測する予測水位算出部２６と、ため池に越流が発生するか否かを予測したり越流の兆候を検出したりする越流予測部２７と、ため池にすべりが発生するか否かを予測したりすべりの兆候を検出したりするすべり予測部２８とを備える。
【００３１】
予測水位算出部２６は、ブイ１の水位情報取得部１１によって取得される水位情報と、ブイ１の水質情報取得部１２によって取得される水質情報と、気象情報取得部２１によって取得される気象情報とに基づいて、ため池の予測水位を算出する。
【００３２】
予測水位算出部２６は、例えば、機械学習によって生成された予測モデルまたは統計モデルを用いて水位の予測を行う。予測モデルまたは統計モデルは、例えば、水位の時系列情報、水質の時系列情報、実績雨量の時系列情報、および予測雨量の時系列情報を入力とし、ため池の予測水位のピークまたは将来の各時間におけるため池の予測水位を出力とする計算モデルである。予測モデルは、例えばニューラルネットワークによって構成される。
【００３３】
越流予測部２７は、予測水位算出部２６によって算出されたため池の予測水位のピークまたは将来の各時間におけるため池の予測水位に基づいて、ため池において越流が発生するか否かを予測する。例えば、越流予測部２７は、予測水位算出部２６によって算出されたため池の予測水位のピーク値とため池の天端の標高とを比較し、ため池の予測水位のピーク値がため池の天端の標高を越える場合にため池に越流が発生すると予測する。
【００３４】
また、越流予測部２７は、例えば、ため池の水位が危険水位または警告水位を越えると予測される場合に、越流の兆候があることを検出することができる。この場合、越流予測部２７は、ため池の予測水位のピーク値と危険水位または警告水位とを比較し、ため池の予測水位のピーク値と危険水位または警告水位を越える場合に越流の兆候を検出する。
【００３５】
すべり予測部２８は、ブイ１の水質情報取得部１２によって取得される水質情報に基づいて、ため池にすべりが発生するか否かを予測する。例えば、すべり予測部２８は、水質情報に含まれるため池の水の濁度などに基づいて、ため池にすべりが発生するか否かを予測する。また、すべり予測部２８は、水質情報に含まれるため池の水の濁度などからため池の上流での土石流の発生の可能性の有無を判定する。すべり予測部２８は、ため池の上流で土石流が発生している可能性がある場合に、ため池においてすべりの兆候があると判定する。なお、すべり予測部２８は、水質情報に加え、水位情報に基づいて、ため池にすべりが発生するか否かを予測する構成であってもよい。
【００３６】
取得周期変更部２４は、決壊兆候検出部２３による決壊の兆候の検出結果に基づいて、ブイ１における水位情報および水質情報の取得周期の変更の有無を判定する。具体的には、取得周期変更部２４は、越流予測部２７の予測結果とすべり予測部２８の予測結果とに基づいて、ブイ１における水位情報および水質情報の取得周期の変更の有無を判定する。
【００３７】
例えば、取得周期変更部２４は、越流予測部２７によってため池に越流が発生すると予測された場合、ブイ１における水位情報および水質情報の取得周期を短くする。また、取得周期変更部２４は、すべり予測部２８によってため池にすべりが発生すると予測された場合、ブイ１における水位情報および水質情報の取得周期を短くする。
【００３８】
また、取得周期変更部２４は、越流予測部２７によってため池に越流が発生すると予測され且つすべり予測部２８によってため池にすべりが発生すると予測された場合、越流およびすべりの一方の発生が予測された場合よりも、ブイ１における水位情報および水質情報の取得周期を短くする。
【００３９】
また、取得周期変更部２４は、現時刻から越流が発生すると予測される時刻までの時間が短いほどブイ１における水位情報および水質情報の取得周期を短くする。同様に、取得周期変更部２４は、現時刻からすべりが発生すると予測される時刻までの時間が短いほどブイ１における水位情報および水質情報の取得周期を短くする。なお、取得周期変更部２４は、越流が発生すると予測される時刻の情報およびすべりが発生すると予測される時刻の情報を決壊兆候検出部２３から取得する。
【００４０】
また、取得周期変更部２４は、越流予測部２７によって越流の兆候があると判定された場合、越流の兆候がないと判定された場合に比べて、ブイ１における水位情報および水質情報の取得周期を短くする。また、取得周期変更部２４は、すべり予測部２８によってすべりの兆候があると判定された場合、すべりの兆候がないと判定された場合に比べて、ブイ１における水位情報および水質情報の取得周期を短くする。
【００４１】
また、取得周期変更部２４は、決壊兆候検出部２３によって越流の兆候があり且つすべりの兆候があると判定された場合、越流の兆候とすべりの兆候の一方が検出された場合に比べ、ブイ１における水位情報および水質情報の取得周期を短くする。
【００４２】
取得周期変更部２４は、例えば、下記式（１）の演算によって、水位情報および水質情報の取得周期を算出することができる。下記式（１）において、「Ｔａ」は、水位情報および水質情報の取得周期であり、「ｋ１」および「ｋ２」は係数である。「Ｄ１」は、現時刻から越流が発生すると予測されるまでの時刻であり、「Ｄ２」は、現時刻からすべりが発生すると予測されるまでの時刻である。
Ｔａ＝ｋ１×Ｄ１＋ｋ２＋Ｄ２      ・・・（１）
【００４３】
また、取得周期変更部２４は、例えば、下記式（２）の演算によって、水位情報および水質情報の取得周期を算出することができる。下記式（２）において、「Ｔａ」は、水位情報および水質情報の取得周期であり、「ｋ１」、「ｋ２」、「ｋ３」、および「ｋ４」は係数である。「Ｄ３」は、越流の兆候が発生すると予測される時刻であり、「Ｄ４」は、すべりの兆候が発生すると予測される時刻である。下記式（２）において、「Ｄ１」および「Ｄ２」は、上記式（１）の「Ｄ１」および「Ｄ２」と同じである。取得周期変更部２４による取得周期の変更は、上述した例に限定されない。
Ｔａ＝ｋ１×Ｄ１＋ｋ２＋Ｄ２＋ｋ３×Ｄ３＋ｋ４＋Ｄ４      ・・・（２）
【００４４】
取得周期変更部２４は、ブイ１からの水位情報および水質情報の取得周期を変更する場合、決壊兆候検出部２３による検出結果に応じた取得周期の情報を含む取得周期変更指令をブイ１へ通信部２０にネットワーク５を介して送信させる。これにより、ブイ１において水位情報および水質情報の取得周期が変更される。
【００４５】
サーバ２は、決壊の兆候がある場合に、高頻度でブイ１から水位情報などを取得できることから、水位監視システム１００は、適切な頻度で水位状況を監視することができる。また、水位監視システム１００は、ため池における越流のリスクまたはすべりのリスクの低い通常時には、低頻度で水位情報などを取得するため、ブイ１における消費電力を抑制することができる。
【００４６】
情報出力部２５は、監視情報を端末装置３へ通信部２０に送信させることで、端末装置３へ監視情報を出力する。監視情報は、決壊兆候検出部２３による決壊兆候の判定結果を示す情報、現状の水位を示す情報、予測水位を示す情報、水位トレンドのトレントグラフを示す情報、水質情報を示す情報、雨量実績を示す情報、雨量予測を示す情報、および取得周期を示す情報などである。端末装置３は、表示部３０を有しており、サーバ２から送信される監視情報を表示部３０に表示する。なお、水位監視システム１００は、サーバ２に表示部を設け、サーバ２の表示部に情報出力部２５から出力される監視情報を表示する構成であってもよい。
【００４７】
つづいて、フローチャートを用いてブイ１による処理を説明する。図２は、実施の形態１にかかるブイの処理部による処理の一例を示すフローチャートである。ブイ１は、図２に示す処理を繰り返し実行する。
【００４８】
図２に示すように、ブイ１の水位情報取得部１１は、水位情報取得タイミングになったか否かを判定する（ステップＳ１０）。ステップＳ１０の処理において、水位情報取得部１１は、取得周期情報設定部１３によって設定された取得周期情報に基づく周期で発生するタイミングになった場合に、水位情報取得タイミングになったと判定する。
【００４９】
水位情報取得部１１は、水位情報取得タイミングになったと判定した場合（ステップＳ１０：Ｙｅｓ）、水位情報を取得し（ステップＳ１１）、取得した水位情報をサーバ２へ通信部１０に送信させる（ステップＳ１２）。
【００５０】
水質情報取得部１２は、ステップＳ１２の処理が終了した場合、または水位情報取得部１１によって水位情報取得タイミングになっていないと判定した場合（ステップＳ１０：Ｎｏ）、水質情報取得タイミングになったか否かを判定する（ステップＳ１３）。ステップＳ１３の処理において、水質情報取得部１２は、取得周期情報設定部１３によって設定された取得周期情報に基づく周期で発生するタイミングになった場合に、水質情報取得タイミングになったと判定する。
【００５１】
水質情報取得部１２は、水質情報取得タイミングになったと判定した場合（ステップＳ１３：Ｙｅｓ）、水質情報を取得し（ステップＳ１４）、取得した水質情報をサーバ２へ通信部１０に送信させる（ステップＳ１５）。
【００５２】
取得周期情報設定部１３は、ステップＳ１５の処理が終了した場合、または水質情報取得タイミングになっていないと判定した場合（ステップＳ１３：Ｎｏ）、サーバ２からの取得周期変更指令が通信部１０で受信されたか否かを判定する（ステップＳ１６）。取得周期情報設定部１３は、取得周期変更指令が受信されたと判定した場合（ステップＳ１６：Ｙｅｓ）、通信部１０で受信された取得周期変更指令に基づいて取得周期情報を変更し（ステップＳ１７）、変更した取得周期情報を水位情報取得部１１および水質情報取得部１２に設定する（ステップＳ１８）。
【００５３】
ブイ１は、ステップＳ１８の処理が終了した場合、または取得周期変更指令が受信されていないと判定した場合（ステップＳ１６：Ｎｏ）、図２に示す処理を終了する。
【００５４】
つづいて、フローチャートを用いてサーバ２の処理部２２による処理を説明する。図３は、実施の形態１にかかるサーバの処理部による処理の一例を示すフローチャートである。サーバ２の処理部２２は、図３に示す処理を繰り返し実行する。
【００５５】
図３に示すように、サーバ２の処理部２２は、水位情報取得部１１から送信された水位情報を取得し（ステップＳ２０）、水質情報取得部１２から送信された水質情報を取得し（ステップＳ２１）、気象情報取得部２１から気象情報を取得する（ステップＳ２２）。
【００５６】
次に、処理部２２は、ステップＳ２０，Ｓ２１，およびＳ２２で取得された水位情報、水質情報、および気象情報に基づいて、決壊兆候検出処理を実行する（ステップＳ２３）。かかる決壊兆候検出処理は、図４に示すステップＳ３０〜Ｓ３２の処理であり、後で詳述する。
【００５７】
次に、処理部２２は、ステップＳ２３における決壊兆候検出処理の結果に基づいて、取得周期の変更が必要であるか否かを判定する（ステップＳ２４）。処理部２２は、取得周期の変更が必要であると判定した場合（ステップＳ２４：Ｙｅｓ）、取得周期の変更処理を実行する（ステップＳ２５）。ステップＳ２５の変更処理において、処理部２２は、ステップＳ２３における決壊兆候検出処理の結果に基づく取得周期の情報を含む取得周期変更指令をブイ１へ通信部２０に送信させる。
【００５８】
処理部２２は、ステップＳ２５の処理が終了した場合、または取得周期の変更が必要でないと判定した場合（ステップＳ２４：Ｎｏ）、端末装置３へ監視情報を通信部２０に送信させ（ステップＳ２６）、図３に示す処理を終了する。
【００５９】
図４は、実施の形態１にかかるサーバの処理部による決壊兆候検出処理の一例を示すフローチャートである。図４に示すように、処理部２２は、水位情報取得部１１によって取得される水位情報と、水質情報取得部１２によって取得された水質情報と、気象情報取得部２１によって取得された気象情報とに基づいて、ため池の予測水位を算出する（ステップＳ３０）。
【００６０】
処理部２２は、算出した予測水位に基づいて、越流予測処理を検出する（ステップＳ３１）。処理部２２は、ステップＳ３１の越流予測処理において、ため池に越流が発生すると予測されるか否か、および越流の兆候があるか否かを判定する。
【００６１】
また、処理部２２は、水質情報取得部１２によって取得される水質情報に基づいて、すべり予測処理を検出する（ステップＳ３２）。処理部２２は、ステップＳ３２のすべり予測処理において、ため池にすべりが発生すると予測されるか否か、およびすべりの兆候があるか否かを判定する。処理部２２は、ステップＳ３２の処理が終了した場合、図４に示す処理を終了する。
【００６２】
なお、上述した例では、水位監視システム１００において、水位情報取得部１１は、ブイ１に配置されるが、水位情報取得部１１の一部がサーバ２に配置されてもよい。例えば、水位監視システム１００は、水位算出部１６をブイ１に設けず、水位算出部１６をサーバ２に設ける構成であってもよい。この場合、ブイ１は、複数の測位信号に含まれる測位情報と誤差補正信号に含まれる誤差補正情報とをサーバ２へ送信する。サーバ２の処理部２２は、ブイ１から送信される測位情報と誤差補正情報とに基づいて、ため池の水位を算出することで、水位情報を取得する。
【００６３】
図５は、実施の形態１にかかるサーバの処理部のハードウェア構成の一例を示す図である。図５に示すように、サーバ２の処理部２２は、プロセッサ１０１と、メモリ１０２とを備えるコンピュータを含む。プロセッサ１０１およびメモリ１０２は、例えば、バス１０３によって互いに情報の送受信が可能である。プロセッサ１０１は、メモリ１０２に記憶されたプログラムを読み出して実行することによって、処理部２２の機能を実行する。プロセッサ１０１は、例えば、処理回路の一例であり、ＣＰＵ（Central  Processing  Unit）、ＤＳＰ（Digital  Signal  Processor）、およびシステムＬＳＩ（Large  Scale  Integration）のうち一つ以上を含む。
【００６４】
メモリ１０２は、ＲＡＭ（Random  Access  Memory）、ＲＯＭ（Read  Only  Memory）、フラッシュメモリ、ＥＰＲＯＭ（Erasable  Programmable  Read  Only  Memory）、およびＥＥＰＲＯＭ（登録商標）（Electrically  Erasable  Programmable  Read  Only  Memory）のうち一つ以上を含む。また、メモリ１０２は、コンピュータが読み取り可能なプログラムが記録された記録媒体を含む。かかる記録媒体は、不揮発性または揮発性の半導体メモリ、磁気ディスク、フレキシブルメモリ、光ディスク、コンパクトディスク、およびＤＶＤ（Digital  Versatile  Disc）のうち一つ以上を含む。なお、処理部２２は、ＡＳＩＣ（Application  Specific  Integrated  Circuit）およびＦＰＧＡ（Field  Programmable  Gate  Array）などの集積回路を含んでいてもよい。
【００６５】
以上のように、実施の形態１にかかる水位監視システム１００は、水位情報取得部１１と、水質情報取得部１２と、気象情報取得部２１と、処理部２２とを備える。水位情報取得部１１は、監視対象の水位を示す水位情報を取得する。監視対象は、ため池または河川である。水質情報取得部１２は、監視対象の水質を示す水質情報を取得する。気象情報取得部２１は、監視対象または監視対象に対応する地域の雨量に関する情報を含む気象情報を取得する。処理部２２は、水位情報取得部１１で取得された水位情報、水質情報取得部１２で取得された水質情報、および気象情報取得部２１で取得された気象情報に基づいて、水位情報取得部１１によって水位情報を取得する周期である取得周期を変更する。このように、水位監視システム１００は、水位情報および気象情報に加え水質情報に基づいて監視対象の水位を監視する頻度を変更することから、水質情報を用いずに監視対象の水位を監視する頻度を変更する場合に比べ、監視対象の水位の監視を適切に行うことができる。
【００６６】
また、処理部２２は、決壊兆候検出部２３と、取得周期変更部２４とを備える。決壊兆候検出部２３は、水位情報、水質情報、および気象情報に基づいて、監視対象の決壊の兆候を検出する。取得周期変更部２４は、決壊兆候検出部２３の検出結果に基づいて、取得周期を変更する。このように、水位監視システム１００は、水位情報および気象情報に加えて水質情報を用いることから、水質情報を用いない場合に比べ、監視対象の決壊の兆候を精度よく検出することができる。そして、水位監視システム１００は、検出した監視対象の決壊の兆候に基づいて、取得周期を変更することから、監視対象の水位の監視をより適切に行うことができる。
【００６７】
また、決壊兆候検出部２３は、予測水位算出部２６と、越流予測部２７と、すべり予測部２８とを備える。予測水位算出部２６は、水位情報、水質情報、および気象情報に基づいて、監視対象の予測水位を算出する。越流予測部２７は、予測水位算出部２６によって算出された予測水位に基づいて、監視対象に越流が発生するか否かを予測する。すべり予測部２８は、水質情報に基づいて、監視対象にすべりが発生するか否かを予測する。取得周期変更部２４は、越流予測部２７の予測結果およびすべり予測部２８の予測結果に基づいて、取得周期を変更する。このように、水位監視システム１００は、監視対象に越流が発生するか否かを予測することに加え、監視対象にすべりが発生するか否かを予測できることから、監視対象の決壊の兆候に応じて取得周期を適切に変更することができる。例えば、水位監視システム１００は、監視対象に越流またはすべりが発生すると予測される場合に、水位情報を高頻度に取得することで、監視対象の水位の監視をより適切に行うことができる。
【００６８】
また、水位情報取得部１１は、測位信号受信部１４と、水位算出部１６とを備える。測位信号受信部１４は、複数の測位衛星から送信される複数の測位信号を測位アンテナで受信する。水位算出部１６は、測位信号受信部１４で受信された複数の測位信号に基づいて、水位情報を算出する。そして、水位情報取得部１１は、監視対象に浮かべられるブイ１に設けられる。このように、水位監視システム１００は、監視対象に浮かべられるブイ１に水位情報取得部１１が設けられることから、水位情報を精度よく検出することができる。
【００６９】
また、ブイ１は、準天頂衛星または地上装置から送信される誤差補正信号を受信する誤差補正信号受信部１５を備える。水位算出部１６は、測位信号受信部１４で受信された複数の測位信号と誤差補正信号受信部１５で受信された誤差補正信号とに基づいて、水位情報を算出する。これにより、水位監視システム１００は、監視対象の水位をセンチメータ級の誤差で検出することができ、監視対象の水位の監視をより適切に行うことができる。
【００７０】
また、水質情報取得部１２は、監視対象に浮かべられるブイ１に設けられる。これにより、水位監視システム１００は、水位情報取得部１１と水質情報取得部１２とを１つのブイ１にまとめて配置できることから、水位情報取得部１１と水質情報取得部１２との監視対象への配置を容易に行うことができる。
【００７１】
また、気象情報取得部２１は、各地域の雨量に関する情報を提供する気象情報提供装置４から気象情報を取得する。これにより、水位監視システム１００は、監視対象に対応する地域の雨量に関する情報を容易に取得することができる。
【００７２】
実施の形態２．
実施の形態２に記載の水位監視システムは、水質情報取得部をブイに設けるのではなく、ため池の洪水吐などに配置する点で、実施の形態１にかかる水位監視システム１００と異なる。以下においては、実施の形態１と同様の機能を有する構成要素については同一符号を付して説明を省略し、実施の形態１の水位監視システム１００と異なる点を中心に説明する。
【００７３】
図６は、実施の形態２にかかる水位監視システムの構成の一例を示す図である。図６に示すように、実施の形態２にかかる水位監視システム１００Ａは、ブイ１Ａと、サーバ２Ａと、端末装置３と、気象情報提供装置４と、水質検出装置６とを備える。水質検出装置６は、サーバ２Ａとネットワーク５を介して接続される。
【００７４】
ブイ１Ａは、水質情報取得部１２を有しない点で、ブイ１と異なる。水質検出装置６は、ため池の洪水吐に配置される。かかる水質検出装置６は、通信部６０と、水質情報取得部６１と、取得周期情報設定部６２とを備える。
【００７５】
通信部６０は、例えば、ネットワーク５に含まれる無線基地局と無線通信を行う無線通信部である。通信部６０は、ネットワーク５を介してサーバ２Ａとの間で情報の送受信を行う。水質情報取得部６１は、濁度計６３を備える。濁度計６３は、ため池の洪水吐に流れる水の濁度を測定する。水質情報取得部６１は、濁度計６３によって測定された水の濁度を示す情報を水質情報としてサーバ２Ａへ通信部６０に送信させる。
【００７６】
取得周期情報設定部６２は、サーバ２Ａから送信される取得周期変更指令が通信部６０で受信された場合、通信部６０で受信された取得周期変更指令に基づいて取得周期情報を変更する。取得周期情報設定部６２は、取得周期情報を変更する毎に、変更した取得周期情報を水質情報取得部６１に設定する。水質情報取得部６１は、取得周期情報設定部６２によって設定される取得周期情報に基づく周期で、サーバ２Ａへ送信する水質情報を取得する。なお、水質情報取得部６１は、ため池の水の濁度に加え、例えば、土石流の有無、浮遊物質量、または溶存酸素量などを測定することもできる。
【００７７】
サーバ２Ａの処理部２２Ａは、決壊兆候検出部２３Ａと、取得周期変更部２４と、情報出力部２５とを備える。越流予測部２７Ａは、水質検出装置６で取得される水質情報と、ブイ１Ａの水位情報取得部１１によって取得される水位情報とに基づいて、流木または土石などによる洪水吐の閉塞から発生する水位上昇を検出することができる。越流予測部２７Ａは、流木または土石などによる洪水吐の閉塞から発生する水位上昇を検出した場合、越流の兆候があると判定する。これにより、水位監視システム１００Ａでは、より高精度に越流の発生を予測することができる。
【００７８】
また、サーバ２Ａのすべり予測部２８Ａは、水質検出装置６で取得される水質情報に基づいて、土石流の混入の検出によりすべりの発生を検出することで、すべりの発生を予測することができる。これにより、水位監視システム１００Ａでは、より高精度にすべりの発生を予測することができる。
【００７９】
実施の形態２にかかるサーバ２Ａの処理部２２Ａのハードウェア構成例は、図５に示すサーバ２の処理部２２のハードウェア構成と同じである。プロセッサ１０１は、メモリ１０２に記憶されたプログラムを読み出して実行することによって、処理部２２Ａの機能を実行することができる。
【００８０】
以上のように、実施の形態２にかかる水位監視システム１００Ａの水質情報取得部６１は、ため池の洪水吐に設けられる。これにより、水位監視システム１００Ａは、より高精度に越流の発生およびすべりの発生などを予測することができる。
【００８１】
実施の形態３．
実施の形態３にかかる水位監視システムは、気象情報サービスで提供される実績雨量に代えて、監視対象または監視対象の周辺に配置した雨量検出装置で測定された実績雨量を用いる点で、実施の形態１にかかる水位監視システム１００と異なる。以下においては、実施の形態１と同様の機能を有する構成要素については同一符号を付して説明を省略し、実施の形態１の水位監視システム１００と異なる点を中心に説明する。
【００８２】
図７は、実施の形態３にかかる水位監視システムの構成の一例を示す図である。図７に示すように、実施の形態３にかかる水位監視システム１００Ｂは、ブイ１と、サーバ２Ｂと、端末装置３と、気象情報提供装置４と、雨量検出装置７とを備える。以下においては、水位監視システム１００Ｂの監視対象がため池であるものとして説明するが、水位監視システム１００Ｂの監視対象は、ため池に限定されず、河川であってもよい。
【００８３】
雨量検出装置７は、サーバ２Ｂとネットワーク５を介して接続される。かかる雨量検出装置７は、通信部７０と、雨量計７１と、取得周期情報設定部７２とを備える。通信部７０は、例えば、ネットワーク５に含まれる無線基地局と無線通信を行う無線通信部である。通信部７０は、ネットワーク５を介してサーバ２Ｂとの間で情報の送受信を行う。雨量計７１は、ため池またはため池の周辺の実績雨量を測定する。雨量検出装置７は、雨量計７１によって測定された実績雨量を示す情報を気象情報としてサーバ２Ｂへ通信部７０に送信させる。
【００８４】
サーバ２Ｂの気象情報取得部２１Ｂは、気象情報提供装置４からネットワーク５経由で送信され通信部２０で受信される気象情報と、雨量検出装置７からネットワーク５経由で送信され通信部２０で受信される気象情報とを取得する。気象情報提供装置４からの気象情報には、ため池に対応する地域の予測雨量の情報が含まれる。雨量検出装置７からの気象情報には、ため池またはため池の周辺の実績雨量の情報が含まれる。
【００８５】
気象情報サービスから配信される実績雨量は各地域の観測所で測定された雨量であり、監視対象のため池の地域と異なる場合が多い。そこで、気象情報取得部２１Ｂは、実績雨量の情報として、ため池またはため池の周辺に配置した雨量計７１で測定した実績雨量の情報を雨量検出装置７から取得する。そして、サーバ２Ｂの予測水位算出部２６は、水位情報と、水質情報と、気象情報提供装置４から気象情報取得部２１Ｂで取得された予測雨量の情報と、雨量検出装置７から気象情報取得部２１Ｂで取得された実績雨量の情報とに基づいて、予測水位を算出する。これにより、水位監視システム１００Ｂでは、高精度に水位予測を行うことができる。
【００８６】
なお、水位監視システム１００Ｂの構成は上述した例に限定されない。例えば、水位監視システム１００Ｂは、実施の形態２にかかる水位監視システム１００Ａと同様に、ブイ１に代えてブイ１Ａと水質検出装置６とを備え、決壊兆候検出部２３に代えて、決壊兆候検出部２３Ａを備える構成であってもよい。
【００８７】
実施の形態３にかかるサーバ２Ｂの処理部２２Ｂのハードウェア構成例は、図５に示すサーバ２の処理部２２のハードウェア構成と同じである。プロセッサ１０１は、メモリ１０２に記憶されたプログラムを読み出して実行することによって、処理部２２Ｂの機能を実行することができる。
【００８８】
以上のように、実施の形態３にかかる気象情報取得部２１Ｂは、気象情報サービスで提供される監視対象に対応する地域の予測雨量の情報と、監視対象または監視対象の周辺に配置された雨量検出装置７で測定された実績雨量の情報とを取得する。そして、決壊兆候検出部２３Ｂは、気象情報取得部２１Ｂで取得された予測雨量の情報および実績雨量の情報と、水位情報と、水質情報とに基づいて、予測水位を算出することから、高精度に水位予測を行うことができる。
【００８９】
実施の形態４．
実施の形態４に記載の水位監視システムは、ブイおよび雨量検出装置が監視対象のため池に加え、監視対象のため池の上流に位置する監視対象外のため池に設けられる点で、実施の形態３にかかる水位監視システム１００Ｂと異なる。以下においては、実施の形態３と同様の機能を有する構成要素については同一符号を付して説明を省略し、実施の形態３の水位監視システム１００Ｂと異なる点を中心に説明する。また、以下において、監視対象のため池をため池Ａと記載し、監視対象のため池の上流に位置する監視対象外のため池をため池Ｂと記載する。ため池Ｂは、上流ため池の一例である。
【００９０】
図８は、実施の形態４にかかる水位監視システムの構成の一例を示す図である。図８に示すように、実施の形態４にかかる水位監視システム１００Ｃは、ブイ１，８と、雨量検出装置７，９と、サーバ２Ｃと、端末装置３と、気象情報提供装置４とを備える。
【００９１】
ブイ１の水位情報取得部１１および水質情報取得部１２は、ため池Ａの水位を示す水位情報とため池Ａの水質を示す水質情報とをサーバ２Ｃへネットワーク５を介して送信する。雨量検出装置７は、ため池Ａの実績雨量またはため池Ａの周辺の実績雨量の情報を含む気象情報をサーバ２Ｃへネットワーク５を介して送信する。
【００９２】
ブイ８は、ブイ１と同じ構成であり、ため池Ｂに設けられる。ブイ８における水位情報取得部１１および水質情報取得部１２は、ため池Ｂの水位を示す水位情報とため池Ｂの水質を示す水質情報とをサーバ２Ｃへ通信部１０にネットワーク５を介して送信させる。
【００９３】
雨量検出装置９は、雨量検出装置７と同じ構成であり、ため池Ｂまたはため池Ｂの周辺に設けられる。雨量検出装置９は、ため池Ｂの実績雨量またはため池Ｂの周辺の実績雨量を測定し、測定した実績雨量の情報を含む気象情報をサーバ２Ｃへネットワーク５を介して送信する。
【００９４】
サーバ２Ｃは、通信部２０と、気象情報取得部２１Ｃと、処理部２２Ｃとを備える。気象情報取得部２１Ｃは、気象情報提供装置４からネットワーク５経由で送信され通信部２０で受信される気象情報と、雨量検出装置７，９からネットワーク５経由で送信され通信部２０で受信される気象情報とを取得する。
【００９５】
気象情報提供装置４からの気象情報には、ため池Ａに対応する地域の予測雨量の情報とため池Ｂに対応する地域の予測雨量の情報とが含まれる。雨量検出装置７からの気象情報には、ため池Ａまたはため池Ａの周辺の実績雨量の情報が含まれる。雨量検出装置９からの気象情報には、ため池Ｂまたはため池Ｂの周辺の実績雨量の情報が含まれる。
【００９６】
処理部２２Ｃは、決壊兆候検出部２３Ｃと、取得周期変更部２４と、情報出力部２５とを備える。決壊兆候検出部２３Ｃは、予測水位算出部２６Ｃと、越流予測部２７Ｃと、すべり予測部２８Ｃとを備える。予測水位算出部２６Ｃは、ため池Ａ，Ｂの各々の水位情報と、ため池Ａ，Ｂの水質情報と、ため池Ａ，Ｂの各々の予測雨量の情報とため池Ａ，Ｂの実績雨量の情報と、ため池Ａ，Ｂの各々の水位情報とに基づいて、予測水位を算出する。
【００９７】
予測水位算出部２６Ｃは、予測水位算出部２６と同様に、例えば、機械学習によって生成された予測モデルまたは統計モデルを用いて水位の予測を行う。予測モデルまたは統計モデルは、例えば、ため池Ａ，Ｂの各々の水位の時系列情報、ため池Ａ，Ｂの各々の水質の時系列情報、ため池Ａ，Ｂの各々の実績雨量の時系列情報、およびため池Ａ，Ｂの各々の予測雨量の時系列情報を入力とし、ため池Ａの予測水位のピークまたは将来の各時間におけるため池Ａの予測水位を出力とする計算モデルである。
【００９８】
越流予測部２７Ｃは、越流予測部２７と同様に、予測水位算出部２６Ｃによって算出されたため池Ａの予測水位のピークまたは将来の各時間におけるため池Ａの予測水位に基づいて、決壊の兆候を検出する。越流予測部２７Ｃで検出される決壊の兆候は、越流予測部２７と同様に、越流または越流の兆候である。
【００９９】
すべり予測部２８Ｃは、ブイ１の水質情報取得部１２によって取得される水質情報とブイ８の水質情報取得部１２によって取得される水質情報に基づいて、ため池Ａにすべりが発生するか否かを予測する。例えば、すべり予測部２８Ｃは、水質情報に含まれるため池Ａ，Ｂの水の濁度などに基づいて、ため池Ａにすべりが発生するか否かを予測する。また、すべり予測部２８Ｃは、水質情報に含まれるため池Ａ，Ｂの水の濁度などからため池Ａの上流での土石流の発生の可能性の有無を判定する。すべり予測部２８Ｃは、ため池Ａの上流で土石流が発生している可能性がある場合に、ため池Ａにおいてすべりの兆候があると判定する。
【０１００】
なお、水位監視システム１００Ｃの構成は上述した例に限定されない。例えば、水位監視システム１００Ｃは、ため池Ａにおいてブイ１に代えてブイ１Ａと水質検出装置６とが配置され、ため池Ｂにおいてブイ８に代えてブイ１Ａと水質検出装置６とが配置される構成であってもよい。
【０１０１】
この場合、越流予測部２７Ｃは、ため池Ａ，Ｂの洪水吐に設けられた水質検出装置６で取得される水質情報と、ブイ１，８の水位情報取得部１１によって取得される水位情報とに基づいて、流木または土石などによる洪水吐の閉塞から発生するため池Ａの水位上昇を検出することができる。越流予測部２７Ｃは、流木または土石などによる洪水吐の閉塞から発生するため池Ａの水位上昇を検出した場合、越流の兆候があると判定したり、越流が発生すると予測したりする。これにより、水位監視システム１００Ｃでは、より高精度に越流の発生を予測したり越流の兆候を検出したりすることができる。
【０１０２】
また、すべり予測部２８Ｃは、ため池Ａ，Ｂの洪水吐に設けられた水質検出装置６で取得される水質情報などに基づいて、土石流の混入の検出によりため池Ａにおけるすべりの発生を検出することで、すべりの発生を予測することができる。これにより、水位監視システム１００Ｃでは、より高精度にすべりの発生を予測することができる。
【０１０３】
実施の形態４にかかるサーバ２Ｃの処理部２２Ｃのハードウェア構成例は、図５に示すサーバ２の処理部２２のハードウェア構成と同じである。プロセッサ１０１は、メモリ１０２に記憶されたプログラムを読み出して実行することによって、処理部２２Ｃの機能を実行することができる。
【０１０４】
以上のように、実施の形態４にかかる水位監視システム１００Ｃの処理部２２Ｃは、監視対象のため池の水位情報、水質情報、および気象情報に加え、監視対象のため池の上流にあるため池である上流ため池の水位を示す情報、水質を示す情報、および雨量に関する情報に基づいて、取得周期を変更する。このように、水位監視システム１００Ｃは、上流のため池の水位情報、水質情報、および気象情報を追加して監視対象のため池の決壊の兆候を予測できることから、高精度にため池の水位予測を行うことができる。
【０１０５】
以上の実施の形態に示した構成は、一例を示すものであり、別の公知の技術と組み合わせることも可能であるし、実施の形態同士を組み合わせることも可能であるし、要旨を逸脱しない範囲で、構成の一部を省略、変更することも可能である。
【符号の説明】
【０１０６】
１，１Ａ，８  ブイ、２，２Ａ，２Ｂ，２Ｃ  サーバ、３  端末装置、４  気象情報提供装置、５  ネットワーク、６  水質検出装置、７，９  雨量検出装置、１０，２０，６０，７０  通信部、１１  水位情報取得部、１２，６１  水質情報取得部、１３，６２，７２  取得周期情報設定部、１４  測位信号受信部、１５  誤差補正信号受信部、１６  水位算出部、１７，６３  濁度計、２１，２１Ｂ，２１Ｃ  気象情報取得部、２２，２２Ａ，２２Ｃ  処理部、２３，２３Ａ，２３Ｃ  決壊兆候検出部、２４  取得周期変更部、２５  情報出力部、２６，２６Ｃ  予測水位算出部、２７，２７Ａ，２７Ｃ  越流予測部、２８，２８Ａ，２８Ｃ  すべり予測部、３０  表示部、７１  雨量計、１００，１００Ａ，１００Ｂ，１００Ｃ  水位監視システム。
【要約】
水位監視システム（１００）は、水位情報取得部（１１）と、水質情報取得部（１２）と、気象情報取得部（２１）と、処理部（２２）と、を備える。水位情報取得部（１１）は、監視対象であるため池または河川の水位を示す水位情報を取得する。水質情報取得部（１２）は、監視対象の水質を示す水質情報を取得する。気象情報取得部（２１）は、監視対象または監視対象に対応する地域の雨量に関する情報を含む気象情報を取得する。処理部（２２）は、水位情報取得部（１１）で取得された水位情報、水質情報取得部（１２）で取得された水質情報、および気象情報取得部（２１）で取得された気象情報に基づいて、水位情報取得部（１１）によって水位情報を取得する周期である取得周期を変更する。【図１】
0006783417.tif 000002
【図２】
0006783417.tif 000003
【図３】
0006783417.tif 000004
【図４】
0006783417.tif 000005
【図５】
0006783417.tif 000006
【図６】
0006783417.tif 000007
【図７】
0006783417.tif 000008
【図８】
0006783417.tif 000009